(57)【特許請求の範囲】
【請求項１】
ベルト本体の内周側に長さ方向に沿って一定ピッチで下コグが形成されていると共に該ベルト本体の内周側が内側補強布で被覆され、
上記ベルト本体の外周側に長さ方向に沿って一定ピッチで上コグが形成されていると共に該ベルト本体の外周側が外側補強布で被覆され、
上記下コグと上記上コグとの間に接着ゴム層が配置され、該接着ゴム層に長さ方向に沿って心線が配置され、
長さ方向から見て、上記下コグが断面Ｖ字状に切断され、上記上コグが断面逆Ｖ字状に切断され、
上記下コグの頂点の上記心線からの距離は、上記上コグの頂点の上記心線からの距離と概略等しく、
最小プーリ径が上側と下側とで同一で、裏返すことのできるリバーシブル構造である
ことを特徴とする両面伝達用ローエッジＶベルト。
【請求項２】
請求項１に記載の両面伝達用ローエッジＶベルトにおいて、
上記下コグのピッチと上記上コグのピッチとが等しく、該下コグの頂点と該上コグの頂点とが幅方向から見て長さ方向の同じ位置にある
ことを特徴とする両面伝達用ローエッジＶベルト。
【請求項３】
請求項１に記載の両面伝達用ローエッジＶベルトにおいて、
上記下コグのピッチと上記上コグのピッチとが等しく、該下コグの頂点と該上コグの頂点とが幅方向から見て長さ方向に半ピッチずれた位置にある
ことを特徴とする両面伝達用ローエッジＶベルト。
【請求項４】
一定ピッチで下コグの形状の凹部が形成された円筒金型に内側補強布を押しつけ、該内側補強布の上から底ゴムの層を重ねあげて第１成形品を成形する第１成形工程と、
上記第１成形品を加熱しながら加圧することにより、内側補強布、底ゴムを下コグの形状に形付けを行う第１形付け工程と、
厚み調整後の成形品に接着ゴム層、心線、接着ゴム層、上コグ側の底ゴム及び外側補強布を巻いて第２成形品を成形する第２成形工程と、
上記第２成形品を加硫機に設置し、外側から一定ピッチで上コグの形状の凹部が形成されたゴムスリーブを挿入して加硫して上記下コグの頂点の上記心線からの距離を上記上コグの頂点の上記心線からの距離と概略等しくなるように加硫品を形付ける第２形付け工程と、
上記加硫品を所定の幅にカットする輪切り工程と、
上記輪切り工程後の加硫品の下コグ及び上コグの側面を長さ方向から見てそれぞれ断面Ｖ字状にカットする両面Ｖカット工程とを備えている
ことを特徴とする両面伝達用ローエッジＶベルトの製造方法。
【請求項５】
請求項４に記載の両面伝達用ローエッジＶベルトの製造方法において、
上記第２形付け工程において、下コグと上コグとの位置を半ピッチずらすようにゴムスリーブを調整する
ことを特徴とする両面伝達用ローエッジＶベルトの製造方法。
【発明の詳細な説明】
【技術分野】
【０００１】
本発明は、両面にコグを備えた両面伝達用ローエッジＶベルト及びその製造方法に関するものである。
【背景技術】
【０００２】
従来より、心線を埋設し、その上部に伸張長ゴム層、下部に圧縮ゴム層を有する無端状のローエッジＶベルトにおいて、耐屈曲性を高める目的で伸張ゴム層及び圧縮ゴム層の両方にベルト長さ方向にコグ部を設けることが知られている。
【０００３】
例えば、特許文献１には、Ｖ形状の溝を有するプーリ間に掛架され、ベルト長手方向に沿って心線を埋設した接着ゴム層の上部に伸張ゴム層を積層し、下部にプーリ当接面を有する圧縮ゴム層を積層し、伸張ゴム層及び圧縮ゴム層の両方にコグ部を有し、伸張ゴム層の両側にベルト全周に渡ってプーリに当接しない傾斜面を有するローエッジコグベルトにおいて、ピッチラインを傾斜面とプーリ当接面との境界線よりも上方に設けたものが知られている。
【０００４】
また、特許文献２のように、ベルト本体の内周側に長さ方向に沿って一定ピッチで下コグが形成されていると共に該ベルト本体の内周側が内側補強布で被覆され、ベルト本体の外周側に長さ方向に沿って一定ピッチで上コグが形成されていると共に該ベルト本体の外周側が外側補強布で被覆されたＶベルトが知られている。
【先行技術文献】
【特許文献】
【０００５】
【特許文献１】特開２００１−２６３４３１号公報
【特許文献２】特開２００９−２１６１８１号公報
【発明の概要】
【発明が解決しようとする課題】
【０００６】
しかしながら、特許文献１のローエッジＶベルトでは、上コグが帆布で覆われず、背面伝達の場合に耐久性に劣り、また、形式的に背面で安定して動力を伝達することができない。
【０００７】
また、特許文献２のローエッジＶベルトでは、上コグの側面には、傾斜面がなく、Ｖベルトとしての伝動ができず、また、下コグと上コグとの厚みが異なっているので、下コグと上コグとで異なるプーリを使用しなければならず、それぞれ別々の設計が必要となるなどの問題がある。
【０００８】
本発明は、かかる点に鑑みてなされたものであり、その目的とするところは、ローエッジＶベルトをいずれの面でも伝達可能な高伝動能力で耐久性の高いものとすることにある。
【課題を解決するための手段】
【０００９】
上記の目的を達成するために、この発明では、上コグ及び下コグの心線からの高さを概略同じとした。
【００１０】
具体的には、第１の発明では、ベルト本体の内周側に長さ方向に沿って一定ピッチで下コグが形成されていると共に該ベルト本体の内周側が内側補強布で被覆され、
上記ベルト本体の外周側に長さ方向に沿って一定ピッチで上コグが形成されていると共に該ベルト本体の外周側が外側補強布で被覆され、
上記下コグと上記上コグとの間に接着ゴム層が配置され、該接着ゴム層に長さ方向に沿って心線が配置され、
長さ方向から見て、上記下コグが断面Ｖ字状に切断され、上記上コグが断面逆Ｖ字状に切断され、
上記下コグの頂点の上記心線からの距離は、上記上コグの頂点の上記心線からの距離と概略等しく、
最小プーリ径が上側と下側とで同一で、裏返すことのできるリバーシブル構造である構成とする。
【００１１】
上記の構成によると、両面伝達用ローエッジＶベルトにおいて、内周側と外周側のいずれにおいても高伝動が可能であり、心線位置が安定するので、局部摩耗が防止され、耐久性が向上する。また、最小プーリ径を上側（逆曲げ）、下側（正曲げ）で同一にできる。また、裏返すことができるリバーシブル構造とすることができ、その場合には、片面側が摩耗したときに裏返して耐久性を向上させることができる。上側と下側とでスリップや面圧が同じ設計が行えることにより、両面とも同じ係数で設計ができるので、設計が容易となる。なお、ここで概略等しいというのは、高さが全く同じという意味ではなく、高さの±１０％以内の差は許容されるという意味である。また、ここでいう頂点は、幅方向から見たときの頂点を意味し、両面伝達用ローエッジＶベルトの最も内周側又は外周側となる部分をいう。
【００１２】
第２の発明では、第１の発明において、
上記下コグのピッチと上記上コグのピッチとが等しく、該下コグの頂点と該上コグの頂点とが幅方向から見て長さ方向の同じ位置にある。
【００１３】
上記の構成によると、心線からの距離が最も大きいところと、最も小さいところとで厚さの差が大きくなり、全体として屈曲性に優れる。
【００１４】
第３の発明では、第１の発明において、
上記下コグのピッチと上記上コグのピッチとが等しく、該下コグの頂点と該上コグの頂点とが幅方向から見て長さ方向に半ピッチずれた位置にある。
【００１５】
上記の構成によると、両面にコグがあるので、屈曲性がよく、かつ谷底の位置が上下で異なるので、厚みのバラツキが小さくなって機械的強度が高い。
【００１６】
第４の発明では、一定ピッチで下コグの形状の凹部が形成された円筒金型に内側補強布を押しつけ、該内側補強布の上から底ゴムの層を重ねあげて第１成形品を成形する第１成形工程と、
上記第１成形品を加熱しながら加圧することにより、内側補強布、底ゴムを下コグの形状に形付けを行う第１形付け工程と、
厚み調整後の成形品に接着ゴム層、心線、接着ゴム層、上コグ側の底ゴム及び外側補強布を巻いて第２成形品を成形する第２成形工程と、
上記第２成形品を加硫機に設置し、外側から一定ピッチで上コグの形状の凹部が形成されたゴムスリーブを挿入して加硫して上記下コグの頂点の上記心線からの距離を上記上コグの頂点の上記心線からの距離と概略等しくなるように加硫品を形付ける第２形付け工程と、
上記加硫品を所定の幅にカットする輪切り工程と、
上記輪切り工程後の加硫品の下コグ及び上コグの側面を長さ方向から見てそれぞれ断面Ｖ字状にカットする両面Ｖカット工程とを備えている。
【００１７】
第５の発明では、第４の発明において、
上記第２形付け工程において、下コグと上コグとの位置を半ピッチずらすようにゴムスリーブを調整する。
【００１８】
上記の構成によると、下コグの頂点の位置が上コグの頂点の位置に対して幅方向から見て半ピッチずれた位置にあり、厚みのバラツキが小さくなり、引っ張り強度など機械的強度が高い両面伝達用ローエッジＶベルトが得られる。
【発明の効果】
【００１９】
以上説明したように、本発明によれば、下コグを長さ方向から見て断面Ｖ字状に切断し、上コグを長さ方向から見て断面逆Ｖ字状に切断し、下コグの頂点の心線からの距離を上コグの頂点の心線からの距離と概略等しくしたことにより、ローエッジＶベルトをいずれの面でも伝達可能な高伝動能力で耐久性の高いものとすることができる。
【図面の簡単な説明】
【００２０】
【図１】本実施形態の両面伝達用ローエッジＶベルトを破断して示す斜視図である。
【図２】図３のII−II線断面図である。
【図３】ローエッジＶベルトを示す側面図である。
【図４】ローエッジＶベルトの製造工程を簡単に示すフローチャートである。
【図５】実施形態の変形例を示す図１相当図である。
【図６】変形例の図３相当図である。
【図７】ローエッジＶベルトの使用例を示す概略図である。
【図８】比較例の両面Ｖベルトを破断して示す斜視図である。
【図９】評価試験の試験装置を示す概略図である。
【図１０】評価試験の試験結果を示すグラフである。
【発明を実施するための形態】
【００２１】
以下、本発明の実施形態を図面に基づいて説明する。
【００２２】
図１〜図３は、本発明の実施形態の両面伝達用ローエッジＶベルト１を示し、この両面伝達用ローエッジＶベルト１は、多軸構造の繊維機械や農業機械で広く使用される。そして、この両面伝達用ローエッジＶベルト１は、ベルト本体２の内周側に長さ方向に沿って一定ピッチＰで下コグ３が形成されている。ピッチＰは、例えば、９．５２ｍｍとする。このベルト本体２の内周側は、内側補強布４で被覆されている。
【００２３】
また、ベルト本体２の外周側に長さ方向に沿って下コグ３と同じ一定ピッチＰで上コグ５が形成されている。また、このベルト本体２の外周側が外側補強布６で被覆されている。例えば、内側補強布４及び外側補強布６は、ウーリーナイロンにクロロプレンゴムを糊引きしたものよりなり、下コグ３及び上コグ５は、クロロプレン系ゴムよりなる。例えばクロロプレン系ゴムは、ゴム硬さがＪＩＳ−Ａで８０〜９５°、ＪＩＳ−Ｃで６０〜８０°のものがよい。このクロロプレン系ゴムに強化繊維が含有されていてもよい。その場合、アラミド系短繊維、ナイロン系短繊維若しくはポリエステル系短繊維又はそれらの混合短繊維を混練りするとよい。例えば、幅方向から見たときの下コグ３及び上コグ５の頂点から谷底までの高さｂは、４．５ｍｍとし、下コグ３及び上コグ５の頂点の丸み半径Ｒ１は、１．１ｍｍ、谷の丸み半径Ｒ２は、１．３ｍｍとする。下コグ３のピッチＰと上コグ５のピッチＰとが等しく、下コグ３の頂点と上コグ５の頂点とが幅方向から見て長さ方向の同じ位置にある。
【００２４】
そして、下コグ３と上コグ５との間に接着ゴム層７が配置されている。この接着ゴム層７は、クロロプレン系ゴムよりなり、例えば、その厚さｔをｔ＝１．４ｍｍとする。接着ゴム層７の長さ方向に沿って複数の心線８が幅方向に間隔をあけて配置されている。心線８は、例えば、１６７０ｄｔｅｘ（デシテックス）のアラミド繊維の束よりなり、下撚りは２４回／１０ｃｍのＳ撚り２本、上撚りは１１回／１０ｃｍＺ撚り５本の、トータルで１６７００ｄｔｅｘの撚りコードとする。
【００２５】
下コグ３は、両面伝達用ローエッジＶベルト１の長さ方向から見て断面Ｖ字状に切断されている。同じく上コグ５は、長さ方向から見て断面逆Ｖ字状に切断されている。例えば、このカットの角度θは、３８°とし、両面伝達用ローエッジＶベルト１の最大幅Ｗ１を１４．４ｍｍとし、最小幅Ｗ２は、１０．３ｍｍとする。
【００２６】
下コグ３の頂点の心線８からの距離Ｈ２は、上コグ５の頂点の心線８からの距離Ｈ１と概略等しい。なお、ここで概略等しいというのは、高さが全く同じという意味ではなく、高さの±１０％以内の差は許容されるという意味であり、例えば、Ｈ１＝Ｈ２＝Ｈ／２＝６．７ｍｍのとき、±０．６７ｍｍの差は、誤差範囲ということである。その範囲を外れると、図示しない歯付プーリとの噛み合わせなどで問題が生じる。
【００２７】
このような構成により、両面伝達用ローエッジＶベルト１は、心線８を中心に上下に実質的に対称であり、場合によっては、リバーシブル可能な構成とすることができる。その場合には、片面側が摩耗したときに裏返して耐久性を向上させることができる。
【００２８】
また、両面伝達用ローエッジＶベルト１において、内周側と外周側のいずれにおいても高伝動が可能であり、心線８の位置が安定するので、局部摩耗が防止され、耐久性が向上する。また、最小プーリ径を上側（逆曲げ）、下側（正曲げ）で同一にでき、また、上側と下側とでスリップや面圧が同じ設計ができる。このため、上下両面とも同じ係数で設計ができるので、設計が極めて容易となる。
【００２９】
また、心線８からの距離が最も大きいところと、最も小さいところとで厚さの差が大きくなり、全体として屈曲性に優れる。
【００３０】
したがって、本実施形態にかかる両面伝達用ローエッジＶベルト１によると、長さ方向から見て下コグ３を断面Ｖ字状に切断し、上コグ５を断面逆Ｖ字状に切断し、下コグ３の頂点の心線８からの距離を上コグ５の頂点の心線８からの距離と概略等しくしたことにより、ローエッジＶベルト１をいずれの面でも伝達可能な高伝動能力で耐久性の高いものとすることができる。
【００３１】
−製造方法−
次に、本実施形態にかかる両面伝達用ローエッジＶベルト１の製造方法について図４を用いて簡単に説明する。
【００３２】
まず、ステップＳ０１の第１成形工程において、下コグ３の成形を行う。下コグ３の形状の凹部が形成された円筒金型に内側補強布４を押しつけ、その上からクロロプレンゴム等の底ゴムの層を重ねあげる。
【００３３】
次いで、ステップＳ０２の第１形付け工程において、第１成形工程の第１成形品を加熱しながら加圧することにより、内側補強布４、底ゴムを下コグ３の形状に形付けを行う。このとき、厚みをあわせ、心線８の位置の確保を行う。
【００３４】
次いで、ステップＳ０３の第２成形工程において、厚み調整後の成形品に接着ゴム層７、心線８、接着ゴム層７、上コグ５側の底ゴム及び外側補強布６を巻く。心線８は、イソシアネート系接着剤で処理し、ＲＦＬ（レゾルシン・ホルマリン・ラテックス）に浸漬した後、延伸熱処理を行って製作する。
【００３５】
次いで、ステップＳ０４の第２形付け工程において、加硫機に設置し、外側から上コグ５の形状の凹部が形成されたゴムスリーブを挿入して加硫する。
【００３６】
次いで、ステップＳ０５の輪切り工程において、加硫品を所定の幅にカットする。
【００３７】
最後に、ステップＳ０６の両面Ｖカット工程において、下コグ３及び上コグ５の側面をそれぞれカットする。
【００３８】
このように、心線８の位置を安定させることで、両面伝達用ローエッジＶベルト１の寿命が長くなり、両面において安定した高伝動が可能となる。
【００３９】
−実施形態の変形例−
図５及び図６は、本発明の実施形態を示し、下コグ３と上コグ５の位置関係が異なる点で上記実施形態と異なる。なお、本変形例では、図１〜図４と同じ部分については同じ符号を付してその詳細な説明は省略する。
【００４０】
すなわち、本変形例の両面伝達用ローエッジＶベルト１０１では、上記実施形態と同様に下コグ３のピッチＰと上コグ５のピッチＰとが等しく、下コグ３の頂点の位置が上コグ５の頂点の位置に対して幅方向から見て半ピッチ（１／２Ｐ）ずれた位置にある。いわゆる千鳥配置となっている。
【００４１】
この構成によると、上記実施形態と同様に両面に下コグ３と上コグ５があるので屈曲性がよく、かつ上記実施形態に比べて谷底の位置が一致しないので、厚みのバラツキが小さくなり、引っ張り強度など機械的強度が高い。
【００４２】
その製法については、上記実施形態のステップＳ０４において、下コグ３と上コグ５との位置を半ピッチずらすようにゴムスリーブを調整すればよく、その他は上記実施形態と同じである。
【００４３】
また、作用効果についても、上記実施形態と同じであり、ローエッジＶベルト１０１をいずれの面でも伝達可能な高伝動能力で耐久性の高いものとすることができる。
【００４４】
−使用例−
図７に示すように、例えば、９０インチの本実施形態のローエッジＶベルト１，１０１を使用して、ローエッジＶベルト１，１０１の下コグ３側を駆動プーリ１０，第１従動プーリ１１及び第３従動プーリ１３に掛けると共に、上コグ５側を第２従動プーリ１２に掛ける。また、テンションプーリ１４は、上コグ５側に当接させて張力を調整する。
【００４５】
これにより、下コグ３側で第１従動プーリ１１、第３従動プーリ１３を高い駆動力で駆動することができる。しかも、この第２従動プーリ１２を、例えば図示しない農業機械の補機プーリとすれば、高い駆動力で、その補機を駆動できる。
【００４６】
−評価試験−
本実施形態のローエッジＶベルト１を実施例とし、図８に示すベルト側面全体が帆布で覆われた両面Ｖベルト２０１（バンドー化学（株）製）を比較例とし、評価試験を行った。
【００４７】
図９に示す駆動プーリ２１０は、プーリ外径が１１１ｍｍで回転数１８００ｒｐｍとし、従動プーリ２１１は、プーリ外径１１１ｍｍとした。
【００４８】
軸荷重ＤＷ（デッドウェイト）をスリップ率が４％を超えるまで徐々に増加させ、伝動力が最大になるまで掛けた。このときの単位巻付き長さ当たりのベルトの有効張力を示すＳＴ係数（Ｎ／ｍ）を以下の式（１）で計算した（なお、ＳＴ係数については、特開２００１−５９５４８号公報参照）。
【００４９】
【数１】
0006271791.tif 000002
【００５０】
ここで、Ｐは負荷（ｋＷ）で、Ｄはプーリ外径（ｍｍ）、ｎは従動プーリ２１１の回転数（ｒｐｍ）、θは接触角度で１８０°、２ｋは係数で、この場合６．０とした。
【００５１】
実施例と比較例とを比較した結果を図１０に示す。この図１０を見てわかるように、同じスリップ率の比較例に対して実施例は、概ね３倍の伝達能力を発揮することがわかった。このように、実施例のローエッジＶベルト１は、比較例に比べて高い負荷の伝動が可能であることが確かめられた。
【００５２】
（その他の実施形態）
本発明は、上記実施形態について、以下のような構成としてもよい。
【００５３】
すなわち、上記実施形態では、両面伝達用ローエッジＶベルト１，１０１の例えば１つの材料例、寸法例を示したが、それに限定されず、他の材料や寸法であってもよい。例えば、心線８の材料は、ポリエチレンテレフタラート（ＰＥＴ）などのポリエステル系材料でもよく、ゴム材料は、エチレン−プロピレン−ジエンゴム（ＥＰＤＭ）、水素化ニトリルゴム（Ｈ−ＮＢＲ）、天然ゴム等でもよい。内側補強布４及び外側補強布６は、平織綿帆布、化繊混紡帆布等でもよい。
【００５４】
なお、以上の実施形態は、本質的に好ましい例示であって、本発明、その適用物や用途の範囲を制限することを意図するものではない。
【産業上の利用可能性】
【００５５】
以上説明したように、本発明は、両面にコグを備えた両面伝達用ローエッジＶベルトについて有用である。
【符号の説明】
【００５６】
１，１０１  両面伝達用ローエッジＶベルト
２          ベルト本体
３          下コグ
４          内側補強布
５          上コグ
６          外側補強布
７          接着ゴム層
８          心線
１０          駆動プーリ
１２          第２従動プーリ（補機プーリ）
【図１】
0006271791.tif 000003
【図２】
0006271791.tif 000004
【図３】
0006271791.tif 000005
【図４】
0006271791.tif 000006
【図５】
0006271791.tif 000007
【図６】
0006271791.tif 000008
【図７】
0006271791.tif 000009
【図８】
0006271791.tif 000010
【図９】
0006271791.tif 000011
【図１０】
0006271791.tif 000012